(57)【特許請求の範囲】
【請求項１】
建築物の鼻板に固定される軒樋本体と吊具からなる軒樋であって、
前記軒樋本体は垂直の後壁と水平の底部と傾斜する前壁とからなる断面視略Ｖ字形状の長尺材で、前記前壁の上端部に前記前壁と平行に折り返す耳部を備え、
前記軒樋本体が前記後壁に備える孔を介して前記鼻板に設けられた第１の固定具に仮固定され、
前記後壁に内接する後板と前記前壁に内接する前板が水平の連結部材で連結してなる吊具が、前記前板の上端部を前記耳部と前記前壁間に挿入された状態で前記後壁とともに前記鼻板に第２の固定具により本固定される際に、
前記後板に、第２の固定具をその先端部に対向して設けた爪部で保持する一対の突起部を設け、それら一対の突起部を上下に設け且つ上方の突起部の頂面を幅方向の両端部が中央部よりも低い凸状に形成し、この一対の突起部は第２の固定具が前記鼻板に固定されるまでは前記爪部によって第２の固定具の胴部を保持するとともに、第２の固定具が前記鼻板に固定した状態で第２の固定具の頭部は前記爪部から離れて一対の突起部の内部に納める弾性体であることを特徴とする軒樋。
【請求項２】
請求項１に記載の軒樋であって、前記一対の突起部は前記前壁の上端より垂直方向に高い位置に設けられることを特徴とする軒樋。
【請求項３】
請求項１又は請求項２に記載の軒樋であって、前記軒樋本体の前記後壁に備える前記孔は、前記一対の突起部の上方に前記底部と平行に形成されるとともに前記鼻板に向かって開口する断面コ字状の孔であることを特徴とする軒樋。
【発明の詳細な説明】
【技術分野】
【０００１】
本発明は、建築物の軒先に取付けられる軒樋に関し、詳しくは、軒先の鼻板に直接取付けられる吊具一体型の軒樋の構造に関する。
【背景技術】
【０００２】
従来、軒樋を建築物の軒先に取付けるには、建物の鼻板に打ち付けた吊具を介して軒樋本体が取付けられる。このような軒樋の取付構成は、例えば特許文献１に開示されている。
【０００３】
図９、図１０に示すように、特許文献１の軒樋１９の吊具２１は樹脂で形成され、軒樋本体３１を保持するアーム部２３と、固定具３０を用いて建物の鼻板２０に固定される取付板２２とからなり、取付板２２には固定具３０を挿入する取付孔２９が設けられる。
【０００４】
取付板２２は表面２８の傾斜角度と建物の外面に当接する取付面２７の傾斜角度とが異なり、取付孔２９は取付板２２の表面２８から取付面２７に向けて末広がりとなるようにテーパー状に形成される。
【０００５】
このため、取付孔２９は釘等の固定具３０に対して空間余裕があるので、固定具３０を鼻板２０に対して直角にフリーの状態でスムーズに打ち込めるので固定具３０が進入途中で曲がってしまう等の問題がなくなり、吊具２１を建物の外面に安定して固定することができる。
【特許文献１】特開２００４−２５０９３０号公報
【発明の開示】
【発明が解決しようとする課題】
【０００６】
ところが、前記特許文献１の構成では、吊具２１の鼻板２０への取付け作業を一人で実施する場合には、一方の手で吊具２１を保持しながら他方の手でビス等の固定具３０を取付板２２の取付孔２９に挿入して電動ドリル等で固定する必要があった。
【０００７】
このため、作業中に固定具３０がズレたり外れて落下することがあり、作業を一時中断しなければならないため作業効率が悪いという問題があった。さらに、特許文献１の構成によれば、鼻板２０と軒樋本体３１の間に見苦しい隙間３２ができるので軒先の外観が悪く商品価値が劣るという問題があった。  
【０００８】
このため、すでに提案している考えであるが、図１１(ａ)、(ｂ)、（ｃ）に示すように、「軒樋１は建築物の鼻板２に固定される軒樋本体３と吊具４からなり、軒樋本体３は垂直の後壁５と水平の底部６と傾斜する前壁７とからなる断面視略Ｖ字形状の長尺材で、前壁７の上端部７ａに前壁７と平行に折り返す耳部８を備える。軒樋本体３は１枚の薄板鋼板で連続的に形成され、後壁５は後壁５の上端部５ａで折り返し後壁５の下端部５ｂまで延設される。第２の後壁５ｄに２組の長孔９が形成され軒樋１が鼻板２に設けられた第１の固定具１１に仮固定される。吊具４は後板１３の上端部１４ａを耳部８と前壁７間に挿入された状態で、吊具４と後壁５は第２の固定具１８により鼻板２に同時に本固定される。」
【０００９】
この構成であれば、吊具４と後壁５は第２の固定具１８により鼻板２に同時に本固定されるので、軒先の外観が向上して商品価値を高める軒樋が提供できる。
【００１０】
ところが、長孔９の高さ位置が第２の後壁５ｄの中間領域に設けられているので、軒樋本体３を鼻板２に取付ける際に長孔９の位置が確認し難いため、軒樋本体３を第１の固定具１１に仮固定する作業が困難であるという問題があった。
【００１１】
そこで、本発明は、上記の事実に鑑みてなされたもので、その目的とするところは、軒先の外観が良く商品価値が高い、吊具の鼻板への取付け作業時にビス等の固定具がズレたり外れて落下することなく取付作業性が向上する軒樋を提供する。
【課題を解決するための手段】
【００１２】
請求項１の発明は、建築物の鼻板に固定される軒樋本体と吊具からなる軒樋であって、前記軒樋本体は垂直の後壁と水平の底部と傾斜する前壁とからなる断面視略Ｖ字形状の長尺材で、前記前壁の上端部に前記前壁と平行に折り返す耳部を備え、前記軒樋本体が前記後壁に備える孔を介して前記鼻板に設けられた第１の固定具に仮固定され、前記後壁に内接する後板と前記前壁に内接する前板が水平の連結部材で連結してなる吊具が、前記前板の上端部を前記耳部と前記前壁間に挿入された状態で前記後壁とともに前記鼻板に第２の固定具により本固定される際に、前記後板に、第２の固定具をその先端部に対向して設けた爪部で保持する一対の突起部を設け、それら一対の突起部を上下に設け且つ上方の突起部の頂面を幅方向の両端部が中央部よりも低い凸状に形成し、この一対の突起部は第２の固定具が前記鼻板に固定されるまでは前記爪部によって第２の固定具の胴部を保持するとともに、第２の固定具が前記鼻板に固定した状態で第２の固定具の頭部は前記爪部から離れて一対の突起部の内部に納める弾性体であることを特徴としている。
【００１４】
請求項２の発明は、請求項１に記載の軒樋であって、前記一対の突起部は前記前壁の上端より垂直方向に高い位置に設けられることを特徴としている。
【００１５】
請求項３の発明は、請求項１又は請求項２に記載の軒樋であって、前記軒樋本体の前記後壁に備える前記孔は、前記一対の突起部の上方に前記底部と平行に形成されるとともに前記鼻板に向かって開口する断面コ字状の孔であることを特徴としている。
【発明の効果】
【００１６】
請求項１記載の発明によれば、建築物の鼻板に固定される軒樋本体と吊具からなる軒樋であって、前記軒樋本体は垂直の後壁と水平の底部と傾斜する前壁とからなる断面視略Ｖ字形状の長尺材で、前記前壁の上端部に前記前壁と平行に折り返す耳部を備え、前記軒樋本体が前記後壁に備える孔を介して前記鼻板に設けられた第１の固定具に仮固定され、前記後壁に内接する後板と前記前壁に内接する前板が水平の連結部材で連結してなる吊具が、前記前板の上端部を前記耳部と前記前壁間に挿入された状態で前記後壁とともに前記鼻板に第２の固定具により本固定される際に、前記後壁に第２の固定具を保持する一対の突起部をその先端部に対向する爪部を備えて設け、この一対の突起部は第２の固定具が前記鼻板に固定されるまでは前記爪部によって第２の固定具の胴部を保持するので、吊具の鼻板への取付け作業時に第２の固定具がズレたり外れて落下することなくなるので取付作業性が向上する。
【００１７】
また、前記一対の突起部は弾性体であるので、第２の固定具が前記鼻板に固定した状態で第２の固定具の頭部は前記爪部から離れて一対の突起部の内部に確実且つ容易に納めることができるので、第２の固定具を経年変化による発錆から保護することができる。また、鼻板と軒樋本体の間に隙間がなく軒先の外観が良くて商品価値に優れた軒樋にできる。
【００１８】
また、本発明によれば、前記一対の突起部は上下に設けられ、上方の突起部の頂面は幅方向の両端部が中央部よりも低い凸状に形成されるので、雨水が凸状に沿って自然に下方に流れるため前記一対の突起部内に流入しないので、第２の固定具を経年変化による発錆から確実に保護することができる。
【００１９】
請求項２記載の発明によれば、前記一対の突起部は前記前壁の上端より垂直方向に高い位置に設けられるので、ドライバー等の軸を第２の固定具に対して略水平状態で操作することができるので、第２の固定具を安定して確実に固着することができる。
【００２０】
請求項３の発明は、前記軒樋本体の前記後壁に備える前記孔は、前記一対の突起部の上方に前記底部と平行に形成されるとともに前記鼻板に向かって開口する断面コ字状の孔なので、軒樋を任意の位置で前記孔に挿入した後に所定の位置まで前記軒樋を保持しながらスライドできるので位置決め作業が容易にできる。
【００２１】
また、前記孔は一対の突起部の上方に形成されるので、前記孔は軒樋本体の重心位置から一番離れた位置であるため、軒樋本体が安定した状態で懸垂されるので軒樋の鼻板への取付け作業時全般が安定して行なえる。
【発明を実施するための最良の形態】
【００２２】
＜軒樋の構成＞  
以下に、本発明の第１の実施形態を図１〜図８に基づいて説明する。
【００２３】
図１、図２、図３、図４に示すように、本実施例の軒樋４０は、建築物の鼻板４１に固定される軒樋本体４３と吊具４４とで構成される。軒樋本体４３は垂直の後壁４５と水平の底部４６と傾斜する前壁４７とからなる断面視略Ｖ字形状の長尺材で、前壁４７の上端部４７ａは前壁４７と平行に折り返されてなる耳部４８を備えている。
【００２４】
軒樋本体４３の断面視略Ｖ字形状は、後壁４５の高さＲ、底部６の幅Ｑ１、前壁７の水平方向の幅Ｑ、前壁７の傾きα＝略４５度である。後壁４５の上端部４５ａは前壁４７の上端部４７ａより垂直方向にＲ１だけ高い位置に設けられ、鼻板４１に向かって開口部４９ａを備えて底部４６と平行に形成される断面コ字溝状の（高さＴ１、幅Ｔ２）の耳部４９を備えている。開口部４９ａの開口４９ｂの上端には突起４９ｃが高さＴ３で下垂される。
【００２５】
ここで、軒樋本体４３は芯材としての１枚の薄板鋼板（厚さ０．３６ｍｍ）で連続的に形成される。そして、軒樋本体４３は耳部４９の開口部４９ａを介して鼻板４１に設けられたビス等による第１の固定具５０に仮固定される。このとき、第１の固定具５０は、頭５０ａの幅Ｔ４、軸５０ｂの径Ｔ５である。
【００２６】
いま、開口４９ｂの高さＴ６とすると、Ｔ６＝（Ｔ１−Ｔ３）≧Ｔ４の関係に形成されるので、軒樋本体４３の耳部４９の開口部４９ａは第１の固定具５０の頭５０ａを通過して軸５０ｂまで容易に挿入できる。挿入後は軒樋本体４３は重力により軸５０ｂに懸架され、耳部４９が突起４９ｃを介して頭５０ａに係止されるので軒樋本体４３は安定して第１の固定具５０に仮固定される。
【００２７】
吊具４４は軒樋本体４３の断面視略Ｖ字形状に内接するように形成され、後壁４５に内接する後板５３と前壁４７に内接する前板５４が水平の連結部材５５によってそれぞれ位置５５ａ、位置５５ｂで連結される。なお、連結部材５５は底部４６から高さＲ３の位置に配置され、後板５３は位置５５ｂより上端部５３ａまで長さＲ４であり、前板５４は前壁４７の全長と略同じ長さで形成される。連結部材５５は前板５４と後板５３とのそれぞれの挟角部に補強ブラケット５７を備えている。吊具４４の前板５４と連結部材５５は幅Ｗであり、後板５３は幅Ｗ１で高さＲ４の矩形形状である。
【００２８】
そして、吊具４４は前板５４の上端部５４ａが軒樋本体４３の前壁４７の耳部４８と前板５４間に挿入されるとともに、後板５３が軒樋本体４３の後壁４５の上端部４５ａの耳部４９と後壁４５間に挿入される。この状態で、吊具４４は軒樋本体４３と共に鼻板４１に第２の固定具５８により本固定される。なお、後板５３の第２の固定具５８の挿入用の孔５３ｂには防水用のコーキング材を塗布することが好ましい。
【００２９】
ここで、後板５３の上端部５３ａには第２の固定具を保持する一対の弾性体の突起部６０からなる係止部６１が上端部５３ａに沿って幅Ｗ２で振り分けられて二組設けられ、各突起部６０の先端には対向する爪部６２を備える。
【００３０】
係止部６１は前板５４の上端部５４ａより垂直方向に同じか高い位置に設けられる。いま、係止部６１の上下方向の外側面間高さＲ５、吊具４４の前板５４の上端部５４ａと底面５８との距離をＲ２とすると、Ｒ３＋Ｒ４−Ｒ５≧Ｒ２の関係である。
【００３１】
一対の突起部６０は第２の固定具５８が鼻板４１に固定されるまでは一対の爪部６２によって第２の固定具５８のネジ部５８ａを保持するとともに、第２の固定具５８が鼻板４１に固定した状態で第２の固定具５８の頭部５８ｂは爪部６２から離れて一対の突起部６０の内部に納まる。ここで、突起部６０の先端から後板５３の裏面までの長さＲは第２の固定具５８の長さＲ１の略１／３〜１／４の範囲で決められる。
【００３２】
なお、一対の突起部６０は上下に隔てて設けられ、上方の突起部６０の外面は幅方向の両端部６０ｄが中央部６０ｃよりも低い凸状に形成される。下方の突起部６０の外面も上方の突起部６０と上下対称に形成される。
【００３３】
ここで、軒樋本体４３、吊具４４は、ステンレス、アルミニウム又は亜鉛メッキをした金属性材料等による芯材のみで形成されるか、さらにその芯材に硬質塩化ビニール樹脂等の樹脂被覆した材料、或いはポリカーボネート等の合成樹脂で形成される。
【００３４】
＜軒樋の作用＞
軒樋４０（軒樋本体４３と吊具４４）の取付け手順を説明する。
【００３５】
まず、図５に示すように、吊具４４を軒樋本体４３に仮組みした状態で、吊具４４の係止部６１の一対の突起部６０に第２の固定具５８としてのビス等を孔５３ｂに挿入し、第２の固定具５８のネジ部５８ａが一対の爪部６２に螺合して保持される状態に準備しておく。
【００３６】
次に、図６に示すように、軒樋本体４３は耳部４９の開口部４９ａを介して鼻板４１に一定ピッチで設けられたビス等の第１の固定具５０に懸架して仮固定される。
【００３７】
このとき、上記のように、第１の固定具５０は、頭５０ａの幅Ｔ４、軸５０ｂの径Ｔ５であり、軒樋本体４３の耳部４９の開口部４９ａは第１の固定具５０の頭５０ａを通過して軸５０ｂまで容易に挿入できる。挿入後は軒樋本体４３は重力により軸５０ｂに懸架され、耳部４９が突起４９ｃを介して頭５０ａに係止されるので軒樋本体４３は安定して第１の固定具５０に仮固定される。
【００３８】
また、軒樋本体４３の開口部４９ａは、鼻板４１に向かって開口する断面コ字状溝なので、軒樋４０を任意の位置で孔（溝状孔）に挿入した後に、所定の位置まで軒樋４０を保持しながらスライドできるので位置決め作業が容易にできる。
【００３９】
さらに、開口部４９ａは一対の突起部６０の上方で軒樋本体４３の上端部に位置するので、軒樋本体４３の重心から一番離れた位置であるため、軒樋本体４３は安定した状態で懸架される。この状態で、爪部６２に螺合している第２の固定具５８のネジ部５８ａが電動ドライバーの軸７０の回転によってさらに挿入される。
【００４０】
図７に示すように、一対の突起部６０は前板５４の上端部５４ａより垂直方向に高い位置に設けられているので、電動ドライバーの軸７０は第２の固定具５８に対して略水平の状態なので確実に安定して操作することができる。
【００４１】
図８に示すように、最後まで挿入された第２の固定具５８はそのネジ部５８ａが建築物の鼻板４１に螺合して固着する。鼻板４１に固定した状態で第２の固定具５８の頭部５８ｂは爪部６２から離れて一対の突起部６０の内部に納まる。ここで、一対の突起部６０は弾性体なので頭部５８ｂが通過するときには開き、通過した後に爪部６２は元の状態に確実に復帰する。そして、吊具４４は軒樋本体４３と共に鼻板４１に同時に本固定される。
【００４２】
このように、弾性体としての一対の突起部６０は、爪部６２が頭部５８ｂの通過するときに開いて通過した後に復帰する動作が最低確保できる程度の弾性体であればよく、必ずしも材料そのものが弾性材料でなくても構わない。
【００４３】
このように、吊具４４が前板５４の上端部５４ａを耳部４８と前壁４７間に挿入されて第１の固定具５０により仮固定されている状態で、第２の固定具５８により吊具４４の後板５３と軒樋本体４３の後壁４５を同時に鼻板４１に本固定できるので作業が簡略化できる。  
【００４４】
また、一対の突起部６０は第２の固定具５８が鼻板４１に固定されるまでは爪部によって第２の固定具５８のネジ部５８ａを保持することができるので、吊具４４の鼻板４１への取付け作業時にビス等の固定具がズレたり外れて落下することなく安定して取付作業ができるので作業性が向上する。
【００４５】
一対の突起部６０は上下に隔てて設けられ、上方の突起部６０の外面は幅方向の両端部６０ｄが中央部６０ｃよりも低い凸状に形成されるので雨水を凸状に沿って自然に流れるので防水性があり、第２の固定具５８に対する防錆効果が得られる。下方の突起部６０の外面にも上方の突起部６０と上下対称に凸状が形成されるのでさらに防錆効果が向上する。同時に、埃も流すことができるので突起部６０の汚れが防止できる。
【００４６】
以上、本発明の実施形態を図面に基づいて説明したが、前記の実施例はいずれも本発明の一例を示したものであり、本発明はこれらに限定されるべきでないということは言うまでもない。
【００４７】
軒樋本体４３、吊具４４の材質は、軽量化や耐腐食性を考慮して硬質塩化ビニール樹脂等の合成樹脂等を用いても良い。
【図面の簡単な説明】
【００４８】
【図１】本発明の実施形態における、軒樋が建物に取付けられる状態を示す側面図である。
【図２】本発明の実施形態における、図１のＡ−Ａ矢視図である。
【図３】本発明の実施形態における、図１のＢ詳細図である。
【図４】本発明の実施形態における、図２のＣ詳細図である。
【図５】本発明の実施形態における、吊具４４を軒樋本体４３に仮組みした状態で、吊具４４の一対の突起部６０に第２の固定具５８としてのビス等を挿入保持させた状態を示す側面図である。
【図６】本発明の実施形態における，軒樋本体４３を仮組みした状態で第１の固定具５０に仮固定された状態を示す側面図である。
【図７】本発明の実施形態における、吊具４４と軒樋本体４３を第２の固定具５８によって同時に固着する状態を示す側面図である。
【図８】本発明の実施形態における、吊具４４と軒樋本体４３が第２の固定具５８によって同時に固着された状態を示す側面図である。
【図９】従来の吊具の構造を示す側面図である。
【図１０】図９のＤ詳細断面図である。
【図１１】（ａ）は、既に提案されている吊具を建物に取付けた状態を示す断面図、（ｂ）は図１１（ａ）のＥ詳細図、（ｃ）は図１１（ｂ）のＦ矢視図である。
【符号の説明】
【００４９】
４０  軒樋
４１  鼻板
４３  軒樋本体
４４  吊具
４５  後壁
４５ａ  上端部
４８  耳部
４９  耳部
５３  後板
５３ａ  上端部
５４  前板
５４ａ  上端部
５８  第２の固定具
５８ａ  ネジ部
５８ｂ  頭部
６０  突起部
６１  係止部
６２  爪部
【図１】
0004552839.tif 000002
【図２】
0004552839.tif 000003
【図３】
0004552839.tif 000004
【図４】
0004552839.tif 000005
【図５】
0004552839.tif 000006
【図６】
0004552839.tif 000007
【図７】
0004552839.tif 000008
【図８】
0004552839.tif 000009
【図９】
0004552839.tif 000010
【図１０】
0004552839.tif 000011
【図１１】
0004552839.tif 000012